(57)【要約】【課題】  水面近くに浮かぶ浮遊物を自動的に回収して捕集する浴槽水浄化装置を提供する。【解決手段】  浴槽水浄化装置１０は、水面近くに浮かぶ水中の浮遊物を捕集する浮遊物回収装置３２を内蔵する下部ユニット３０と、下部ユニット３０の上に一体的に設けて浮遊物回収装置３２を駆動する回転駆動装置２２を内蔵する上部ユニット２０とを備えている。下部ユニット３０は、浮遊物回収装置３２が、水を通過可能で浮遊物を捕集する網目３４を備え、かつ上部を開口する浮遊物捕集容器３３と、水中の浮遊物を回収して浮遊物捕集容器３３の開口３５へ移動する浮遊物回収ローラ３６とで構成する。また、下部ユニット３０をほぼ水没して水面に浮かぶ浮力を有する浮力体３９を備える。回転駆動装置２２は、浮遊物回収ローラ３６を回転駆動する構成である。【選択図】  図２
2016067797.tif 000002
【特許請求の範囲】
【請求項１】
水面付近に浮かぶ水中の浮遊物を捕集する浮遊物回収装置を内蔵する下部ユニットと、下部ユニットの上に一体的に設けて浮遊物回収装置を駆動する回転駆動装置を内蔵する上部ユニットと、を備えた浴槽水浄化装置であって、
前記浮遊物回収装置は、水を通過可能で浮遊物を捕集する網目を有し且つ上部を開口する浮遊物捕集容器と、水中の浮遊物を回収して浮遊物捕集容器の開口へ移動する浮遊物回収ローラと、下部ユニットをほぼ水没した状態で浮力を作用させる浮力体とを備え、
前記回転駆動装置は、浮遊物回収ローラを回転駆動する構成であることを特徴とする浴槽水浄化装置。
【請求項２】
浮遊物回収ローラは、複数個で構成すると共に浮遊物捕集容器の開口を挟んで互いに対向する位置に配置したことを特徴とする請求項１に記載の浴槽水浄化装置。
【請求項３】
下部ユニットは、水面上を推進させる推進装置を備えていることを特徴とする請求項１又は２に記載の浴槽水浄化装置。
【請求項４】
推進装置は、浮遊物回収ローラの一部に設けた推進用羽根車であることを特徴とする請求項３に記載の浴槽水浄化装置。
【請求項５】
上部ユニットと下部ユニットは、浴槽に設けた上下方向のガイド部材に沿って上下方向へ移動自在とするガイド部を備えていることを特徴とする請求項１又は２に記載の浴槽水浄化装置。
【請求項６】
浮遊物回収ローラは、前記浮力体を兼用し、下部ユニットをほぼ水没して水面に浮かぶ浮力を備えたことを特徴とする請求項１〜５のいずれかに記載の浴槽水浄化装置。
【請求項７】
浮遊物捕集容器における網目は、メッシュ構造であることを特徴とする請求項１〜６のいずれかに記載の浴槽水浄化装置。
【請求項８】
回転駆動装置は、回転力を伝達する駆動歯車を備え、
前記の互いに対向する一対の浮遊物回収ローラの一方が、前記駆動歯車と噛み合う第一従動歯車にて回転駆動される構成とし、
前記の一対の浮遊物回収ローラの他方が、前記第一従動歯車に複数の従動歯車を介して回転伝達する第二従動歯車にて回転駆動される構成であることを特徴とする請求項２〜７のいずれかに記載の浴槽水浄化装置。
【発明の詳細な説明】
【技術分野】
【０００１】
本発明は、浴槽の水面に浮かべて移動し、水面近くに浮かぶ湯垢や毛髪などの浮遊物を自動的に回収して捕集する際に利用される浴槽水浄化装置に関する。
【背景技術】
【０００２】
従来、風呂の水面に浮かべて水中の湯垢や毛髪などの浮遊物を捕集するために例えば風呂垢取り器や風呂クリーナーが開発されている。
特許文献１の風呂垢取り器は、吸水路から流れ込んだ湯水が自重で流れ落ちる貯水室を設けるとともに、この貯水路の下方に排水装置を有し、貯水室内にフィルタを着脱自在に挿入して設置する。このような構成により、風呂の湯水は、吸水路から貯水室へ流れ込みながら排水装置の駆動によって貯水室内のフィルタを通過し、強制的に下方に掻き出されて排水口から排出される。風呂の水中の浮遊物は前記フィルタによって捕集されるとともに、風呂垢取り器は排水口から排出される湯水の推進力によって水面上を移動するようになっている。
【０００３】
特許文献２の風呂クリーナーでは、吸水口が、略円盤形の浮子体の外周部に位置し、かつ浮子体の中心に対して対称位置に設けられる。また、電池駆動の電動ポンプが前記浮子体に設けられているとともに、吸水口から前記電動ポンプで吸引した水を排出する排水口が浮子体の下側に設けられている。さらに、前記吸水口にはフィルタを備えている。当該風呂クリーナーは浮子体によって風呂の水面に浮いた状態となり、かかる状態で電動ポンプを駆動すると、風呂の水が吸水口から吸引され、排水口から下に向けて排出される。風呂の水中の浮遊物は前記フィルタにより捕集される。
【０００４】
特許文献３の風呂垢取り器では、特許文献２と同様に、浮体部が浮子によって風呂の水面に浮いた状態となる。浮体部の上部には電池と動力モータを備え、動力モータの回転軸が、浮体部から下向き垂直方向に延出している。また、浮体部の下側には、筒形状の渦巻槽を設け、渦巻槽の内部で前記回転軸に設けた複数の羽根を持つスクリューを回転させて渦巻きを発生させることによって風呂の水が流入部から取り込まれ、渦巻槽から下方に備えたフィルタ部に吐出させて濾過するようになっている。
【先行技術文献】
【特許文献】
【０００５】
【特許文献１】特開２００１―１７３３４号公報
【特許文献２】特開２００３―４７５６９号公報
【特許文献３】特開２０１３−１１１４５０号公報
【発明の概要】
【発明が解決しようとする課題】
【０００６】
しかしながら、前記各文献記載の発明には以下のような課題があった。
特許文献１の風呂垢取り器では、吸水路から流れ込んだ湯水が自重で流れ落ちる貯水室を備えていることから、吸い込み速度を高め、効率良くゴミを収集することができるとされている。その一方、風呂の湯水を、排水装置によって吸水路から貯水室、フィルタを順次通過して排水口から排出するというように強制的に流れを起こす構造であるので、やはり大きなエネルギー（電気量）を必要とする。しかも、貯水室の下側に排水装置（遠心ポンプ）を設ける必要があるので、排水装置を駆動するためのモータなどの駆動装置を配置することになる。このような駆動装置は防水対策を施した上で密閉する必要があり、構造が複雑化するとともに、コスト高を招くという課題があった。
【０００７】
特許文献２の風呂クリーナーでは、電動ポンプを駆動することにより、風呂の水を吸水口から吸引し、排水口から下に向けて排出するので、基本的には特許文献１と同じように強制的に流れを起こす構造であるため、やはり大きなエネルギー（電気量）を必要とする。しかも、ほぼ同じ位置に留まって浮遊物の捕集を行うので、効率良く捕集作業を行うことは難しい。
仮に、風呂クリーナーを浴槽内で移動させる場合は、横向きに水を排出させて推進力を発生する必要がある。そのためには、電動ポンプを駆動する駆動装置を浮子体の下部に設置する必要がある。しかし、特許文献１記載の発明と同様、駆動装置等は密閉する必要があり、構造の複雑化、コスト高を招来する。あるいは、別の推進装置を新たに設けることが必要となる。
【０００８】
特許文献３の風呂垢取り器は、特許文献２と基本的にほぼ同様な作用で風呂水を浄化する構造であるため、やはり大きなエネルギー（電気量）を必要とする。しかも、ほぼ同じ位置に留まって浮遊物の捕集を行うので、効率良く風呂水の浄化を行うことは難しい。
やはり、浴槽内を移動させるにはスクリューの設置、又、当該スクリューを回転駆動する駆動手段を浮子部の下部に設置するなど、構造の複雑化を招く。
【０００９】
本発明はこのような事情に鑑みてなされたものであって、浴槽の水を吸い込んで排出するという強制的に起こした水流の途中にフィルタを設けて水中の浮遊物を捕集するのではなく、水面近くに浮かぶ浮遊物を自動的に回収して捕集する浴槽水浄化装置を提供することを目的とする。
【課題を解決するための手段】
【００１０】
請求項１記載の発明は、水面付近に浮かぶ水中の浮遊物を捕集する浮遊物回収装置を内蔵する下部ユニットと、下部ユニットの上に一体的に設けて浮遊物回収装置を駆動する回転駆動装置を内蔵する上部ユニットと、を備えた浴槽水浄化装置であって、前記浮遊物回収装置は、水を通過可能で浮遊物を捕集する網目を有し且つ上部を開口する浮遊物捕集容器と、水中の浮遊物を回収して浮遊物捕集容器の開口へ移動する浮遊物回収ローラと、下部ユニットをほぼ水没した状態で浮力を作用させる浮力体とを備え、前記回転駆動装置は、浮遊物回収ローラを回転駆動する構成であることを特徴とする。
【００１１】
請求項２記載の発明は、浮遊物回収ローラは、複数個で構成すると共に浮遊物捕集容器の開口を挟んで互いに対向する位置に配置したことを特徴とする。
【００１２】
請求項３記載の発明は、下部ユニットは、水面上を推進させる推進装置を備えていることを特徴とする。
【００１３】
請求項４記載の発明は、推進装置は、浮遊物回収ローラの一部に設けた推進用羽根車であることを特徴とする。
【００１４】
請求項５記載の発明は、上部ユニットと下部ユニットは、浴槽に設けた上下方向のガイド部材に沿って上下方向へ移動自在とするガイド部を備えていることを特徴とする。
【００１５】
請求項６記載の発明は、浮遊物回収ローラは、前記浮力体を兼用し、下部ユニットをほぼ水没して水面に浮かぶ浮力を備えたことを特徴とする。
【００１６】
請求項７記載の発明は、浮遊物捕集容器における網目は、メッシュ構造であることを特徴とする。
【００１７】
請求項８記載の発明は、回転駆動装置は、回転力を伝達する駆動歯車を備え、前記の互いに対向する一対の浮遊物回収ローラの一方が、前記駆動歯車と噛み合う第一従動歯車にて回転駆動される構成とし、前記の一対の浮遊物回収ローラの他方が、前記第一従動歯車に複数の従動歯車を介して回転伝達する第二従動歯車にて回転駆動される構成であることを特徴とする。
【発明の効果】
【００１８】
本発明によれば、上部ユニットと下部ユニットを一体的に取り付けて水面に浮かべると、浮力体の浮力によって、下部ユニットがほぼ水没した状態で水面に浮かんだ状態となる。浮遊物回収ローラが回転すると、浮遊物回収ローラの外側の水面近くに浮かぶ浮遊物が浮遊物回収ローラの外周面に付着することにより回収することができる。回転する浮遊物回収ローラの外周面によって浮遊物を浮遊物捕集容器の開口へ移動させて再び水没することで、浮遊物が浮遊物回収ローラの外周面から離脱し、浮遊物捕集容器の内部へ捕集することができる。
従来のように、水の流れによって浮遊物を移動させてフィルタによって捕集する形態ではないので、浮遊物回収ローラの回転速度を遅くすることができ、回転駆動装置の消費電気量を少なくできる。バッテリの長時間使用を可能とし、長寿命化にも寄与する。
【００１９】
推進装置によって、浴槽水浄化装置が水面上を移動しながら積極的に浮遊物を回収し捕集することができる。しかも、水面を満遍なく移動するので、効率良く浮遊物を捕集することができる。
また、二つの浮遊物回収ローラを浮遊物捕集容器の開口を挟んで対向する位置に配置することで、水中の浮遊物を効率良く回収できる。また、浮遊物回収ローラをさらに増やせば水中の浮遊物をさらに効率良く回収できる。
また、浮遊物回収ローラに推進用羽根車を備えた推進装置は、浮遊物回収ローラの回転を利用して推進用羽根車を回転駆動する点で効率的であり、簡単な構造であるので低コスト化に寄与する。
また、浮遊物回収ローラが、下部ユニットをほぼ水没して水面に浮かぶ浮力を備えた浮力体を兼用することで、簡単な構造となり低コスト化に寄与する。
【図面の簡単な説明】
【００２０】
【図１】本発明に係る浴槽水浄化装置の一つの実施形態を示し、浴槽の水面に浮かべて浴槽水を浄化する状態を示す斜視図である。
【図２】浴槽水浄化装置を分解した状態を示す概略的な分解斜視図である。
【図３】（ａ），（ｂ），（ｃ）の順に、浴槽水浄化装置にて浮遊物を回収して捕集する過程を示す動作説明図である。
【図４】本発明に係る浴槽水浄化装置の他の実施形態を示し、浴槽の水面に浮かべて浴槽水を浄化する状態を示す斜視図である。
【図５】浴槽水浄化装置のバッテリに充電する状態を示す斜視図である。
【発明を実施するための形態】
【００２１】
以下、本発明の第一実施形態に係る浴槽水浄化装置１０について、添付図面を参照して詳細に説明する。図１は本実施形態の浴槽水浄化装置１０を浴槽７０の水面に浮かべて浴槽水を浄化する状態を示した概略説明図、図２は浴槽水浄化装置１０を分解した状態を概略的に示す分解斜視図である。
【００２２】
図２に示されるように、浴槽水浄化装置１０は、下部ユニット３０と、下部ユニット３０の上部に一体的に取り付けられる上部ユニット２０とを備え、上部ユニット２０並びに下部ユニット３０は着脱可能となっている。下部ユニット３０は、ほぼ水没して水面近くに浮かぶ水中の浮遊物を捕集する浮遊物回収装置３２を内蔵する。上部ユニット２０は、浮遊物回収装置３２を駆動する回転駆動装置２２を内蔵する。
【００２３】
上部ユニット２０は、本実施形態では、下面が開口している半円球体形状の上部ユニット本体２１を備えている。上部ユニット本体２１には、その下面開口部における対向位置に上部流入口２１ａ，２１ａが形成されている。
また、上部ユニット本体２１は、モータなどの回転駆動装置２２、モータ２２を回転駆動するためのバッテリ、モータ２２の回転制御する制御基板などを防水した状態で内蔵する駆動装置収納容器２３が、内部に固定されている。なお、前記のバッテリはＤＣ１２Ｖ程度である。モータ２２の回転軸２２ａは、例えばオイルシールで防水した状態で駆動装置収納容器２３から外側へ突出しており、回転軸２２ａに駆動歯車２４が固着されている。
さらに、上部ユニット本体２１は、モータ２２の回転駆動をＯＮ，ＯＦＦするためのスイッチ、前記のＯＮ，ＯＦＦ状態を表示するための表示ランプ、モータ２２の回転駆動速度を調整するための調整用スイッチ、その他の各種スイッチや表示ランプなどを備えている。
【００２４】
下部ユニット３０は、上面が開口している半円球体形状の下部ユニット本体３１を備え、その上面開口部における対向位置に下部流入口３１ａ，３１ａが形成され、前述の上部ユニット２０と一体化されることにより、浴槽７０の水を導入するための二つの流入口１１，１１となる。即ち、上部ユニット本体２１と下部ユニット本体３１を一体的に装着した時、上部ユニット本体２１の上部流入口２１ａ，２１ａと、下部ユニット本体３１の下部流入口３１ａ，３１ａが重なり合って二つの流入口１１，１１が形成される。
【００２５】
浮遊物回収装置３２は、浮遊物捕集容器３３と、二つの浮遊物回収ローラ３６，３６とによって構成され、下部ユニット本体３１の内部に取り付けられている。
【００２６】
浮遊物捕集容器３３は、上部に開口３５を有し、水の通過が可能なメッシュ状の素材によって籠状に形成され、これによって網目３４から浴槽内の水分の出入りが可能で、下部ユニット本体３１内部のほぼ中央位置に設置されている。
浮遊物捕集容器３３の上部には、開口３５を挟んで対向する位置に配置される二つの浮遊物回収ローラ３６，３６の外周形状に合わせて凹んだ湾曲面を有している。なお、浮遊物回収ローラ３６について詳しくは後述する。
本実施形態では、浮遊物捕集容器３３の全体が前記網目３４の機能を備えたメッシュ構造となっているが、網目３４は浮遊物捕集容器３３の一部に設けてもよい。また、浮遊物捕集容器３３は、図２の形状には限定されず、下部ユニット本体３１内部に収容可能であれば、どのような形状でもよい。
【００２７】
二つの浮遊物回収ローラ３６，３６は、浮遊物捕集容器３３の開口３５を挟んで互いに対向する位置で回転可能に配置されている。即ち、下部ユニット本体３１の内部に設けた支持部材３７，３７によって支持される回転軸３８，３８で回転可能に構成されている。
浮遊物回収ローラ３６は、水中の浮遊物を回収して浮遊物捕集容器３３の開口３５へ移動させる機能を備え、具体的にはローラ３６の表面に浮遊物が付着しやすく、かつ離れやすい性質を備えていればよい。本実施形態では、スポンジ製ローラを使用している。スポンジ製ローラは、浴槽７０の水中の湯垢や毛髪などの浮遊物が外周面に接触すると簡単に付着し、水中に没すると外周面から簡単に離れるといった特質がある。
なお、浮遊物回収ローラ３６の外周面は、平坦面であるよりも、むしろ起伏の少ない微細な凹凸面が形成されていることが望ましい。平坦面であると浮遊物が付着しにくく、一方、起伏が大きい凹凸面であると、浮遊物が離れにくくなるので、その素材は慎重に選択する必要がある。
〔確認事項〕
浮遊物回収ローラ３６の外周面について上記のように記載しましたが、如何でしょうか。起伏が小さい凹凸面と起伏が大きい凹凸面との違いは如何でしょうか。また、スポンジ以外の具体例がありましたら、御教示下さい。
【００２８】
また、二つの浮遊物回収ローラ３６，３６は、上部ユニット２０と下部ユニット３０を一体的に取り付けた状態で、下部ユニット３０がほぼ水没して水面に浮かぶ浮力体３９としての機能を有し、下部ユニット本体３１の下部流入口３１ａ，３１ａを水面に位置させるように浮力を作用させている。すなわち、本実施形態では、二つの浮遊物回収ローラ３６，３６が浴槽水浄化装置１０を水面に浮かばせる浮力体３９としての機能を有している。
なお、浮力体３９としては、上記の浮遊物回収ローラ３６ではなく、例えば空気袋や発泡樹脂などの他の浮力体を下部ユニット３０の内部に取り付けることができる。あるいは、浮力を有する浮遊物回収ローラ３６に他の浮力体を加えて必要な浮力を設定することもできる。
【００２９】
また、浴槽水浄化装置１０は、上記の回転駆動装置２２の回転力を浮遊物回収装置３２へ伝達するための回転駆動伝達装置４０を備えている。
回転駆動伝達装置４０としては、本実施形態では、上記の二つのうちの一方の浮遊物回収ローラ３６ａが回転軸３８を介して第一従動歯車４１と連結され、他方の浮遊物回収ローラ３６ｂが回転軸３８を介して第二従動歯車４２と連結されている。
さらに、第一従動歯車４１と第二従動歯車４２の間を回転伝達するための二つの補助従動歯車４３，４４を噛み合うように配置している。例えば、第一従動歯車４１と補助従動歯車４３、補助従動歯車４３と補助従動歯車４４、補助従動歯車４４と第二従動歯車４２が、それぞれ互いに噛み合う構成である。なお、上部ユニット本体２１に備えたモータ２２の駆動歯車２４は、第一従動歯車４１と噛み合う構成である。しかし、これに限定されず、駆動歯車２４が第二従動歯車４２と噛み合う構成としてもよい。
【００３０】
なお、第一従動歯車４１と第二従動歯車４２の間を回転伝達するための補助従動歯車は２つに限定されず、複数個を用いることができる。ただし、互いに対向する二つの浮遊物回収ローラ３６ａ，３６ｂが、外周面に付着した外側の浮遊物を水面から上側へ回り、浮遊物捕集容器３３の開口３５へ移動させる方向に回転するべく複数個の補助従動歯車を組み合わせて配置する。
また、回転駆動伝達装置４０は、上記の駆動歯車や従動歯車の構成に限定されず、タイミングベルトやプーリなどの他の方法であってもよい。
【００３１】
図２において左下側に示す一方の浮遊物回収ローラ３６ａは、その長手方向の両端側に合計二つの推進用羽根車４６，４６を備えている。前記の推進用羽根車４６，４６は、下部ユニット３０を浴槽７０の水面上を移動させる推進力を与える推進装置４５を構成する。
【００３２】
なお、推進装置４５としては、本実施形態では、浮遊物回収ローラ３６ａに備えた推進用羽根車４６，４６で構成しているが、数や形状、あるいは形態などは、これに限定されない。例えば、下部ユニット本体３１に、他の推進用羽根車やスクリューなどの装置を設けることができる。しかし、浮遊物回収ローラ３６ａに備えた推進用羽根車４６は、浮遊物回収ローラ３６ａの回転を利用して推進用羽根車４６を回転駆動する点で効率的であり、簡単な構造であるので低コスト化に寄与することで望ましい。
【００３３】
次に、上記の第一実施形態の浴槽水浄化装置１０における作用について説明する。
浴槽水浄化装置１０は、上部ユニット２０と下部ユニット３０を一体的に取り付けた状態で完成する。上部ユニット２０の上部流入口２１ａ，２１ａと下部ユニット３０の下部流入口３１ａ，３１ａが、重なり合って合計二つの流入口１１，１１が形成される。図１に示すように、浴槽水浄化装置１０を浴槽７０の水面に浮かべると、図３（ａ）に示すように、下部ユニット本体３１がほぼ水没した状態で水面に浮かぶ。この時、二つの浮遊物回収ローラ３６，３６における兼用の浮力体３９の浮力によって、流入口１１，１１が水面に位置する状態となる。
【００３４】
上部ユニット２０の駆動スイッチをＯＮしてモータ２２を回転駆動すると、駆動歯車２４が図３（ａ）において反時計回り方向に回転し、第一従動歯車４１が時計回り方向に回転し、浮遊物回収ローラ３６ａも時計回り方向に回転する。次いで第一従動歯車４１に噛み合う補助従動歯車４３が反時計回り方向に回転し、補助従動歯車４３に噛み合う補助従動歯車４４が時計回り方向に回転する。次いで補助従動歯車４４に噛み合う第二従動歯車４２が反時計回り方向に回転し、浮遊物回収ローラ３６ｂも反時計回り方向に回転する。
【００３５】
浮遊物回収ローラ３６ａが回転すると、図２に示すように、その長手方向の両端側の推進用羽根車４６，４６が回転するので、浴槽水浄化装置１０が浴槽７０の水面上を移動する。上部ユニット２０又は下部ユニット３０が浴槽７０の側面にぶつかると、別の方向に変えて移動する。上部ユニット２０および下部ユニット３０の外形が円形であるので、方向が変わりやすい。再び浴槽水浄化装置１０が浴槽７０の側面にぶつかると、別の方向に変えて移動する。これを繰り返して水面上をランダムに移動する。結果として浴槽水浄化装置１０が浴槽７０の水面上を満遍なく移動する。
【００３６】
浴槽水浄化装置１０が水面上を移動すると、図３（ａ）に示すように、浮遊物回収ローラ３６ａ，３６ｂの外側の水面近くに浮かぶ浮遊物が、図３（ｂ）に示すように、回転する浮遊物回収ローラ３６ａ，３６ｂの外周面に付着する。浮遊物回収ローラ３６ａ，３６ｂの外周面が浮遊物を水面から上に引き上げる方向に回転し、図３（ｃ）に示すように、浮遊物捕集容器３３の開口３５で再び水没する。この時、浮遊物も水没するので、浮遊物回収ローラ３６ａ，３６ｂの外周面から簡単に離れて沈む。
【００３７】
浮遊物捕集容器３３は全体が網目３４となるメッシュの構造であるので、浮遊物が浮遊物捕集容器３３の内部へ捕集される。浮遊物が水中に浮遊するとしても、浮遊物捕集容器３３の開口３５ないしは浮遊物回収ローラ３６ａ，３６ｂと支持部材３７，３７との間に留まり、捕集されることになる。
以上のように、浮遊物回収ローラ３６ａ，３６ｂは回転するが、若干の水の流れが生じるとしても遅い流れである。つまり、本実施形態は、従来のように、水の流れによって浮遊物を移動させてフィルタによって捕集する形態ではない。
【００３８】
浮遊物回収ローラ３６ａ，３６ｂは、回転速度を遅くすることで、浮遊物が浮遊物回収ローラ３６ａ，３６ｂの外周面に付着しやすく、かつ水中で離れやすくなるので、浮遊物が効率良く回収されることになる。また、推進用羽根車４６もゆっくり回転することで、下部ユニット３０（つまり、浴槽水浄化装置１０）が浮遊物を回収しながら浴槽７０の水面を満遍なく移動する。その結果、積極的に浮遊物を捕集するために移動するので、従来のようにほとんど同じ場所にいて、発生した水流によって浮遊物を捕集する場合に比べて、効率良く浮遊物を捕集することができる。
【００３９】
また、従来の技術のように、電気ポンプやスクリューによって渦流を発生して、強制的に水流を起こす場合と比較して、浮遊物回収ローラ３６の回転速度が遅いことは、モータ２２の消費電気量も少なくて済む。したがって、バッテリの長時間使用を可能とし、長寿命化にも寄与する。
【００４０】
なお、本実施形態では、二つの浮遊物回収ローラ３６，３６を用いているが、これに限定されない。すなわち、浮遊物回収ローラ３６は一個でもよい。好ましくは、二つの浮遊物回収ローラ３６，３６が浮遊物捕集容器３３の開口３５を挟んで対向する位置に配置されることで、浮遊物を効率良く回収するという点で望ましい。
あるいは、浮遊物捕集容器３３の開口３５を図２の場合より大きくし、前記開口３５の四方位置に、対向する二対の浮遊物回収ローラ３６を配置することもできる。この場合は、構造が複雑になるが、よりいっそう浮遊物の回収効率が向上するという点で効果がある。
【００４１】
次に、本発明の第二実施形態に係る浴槽水浄化装置５０について図面を参照して説明する。前述の第一実施形態の浴槽水浄化装置１０と異なる箇所を説明し、同様の部材は同じ符号を付して詳しい説明は省略する。
浴槽水浄化装置５０は、図４に示すように、上下方向に延びる二本のガイド部材５２が、浴槽７０の側面に固定されている。二本のガイド部材５２は、上端側は固定せず、下端側が例えば吸着盤５３などの取り外し可能な固定具によって、浴槽７０の側面に固定することができる。
【００４２】
さらに、前記の二本のガイド部材５２，５２を嵌入可能な二つのガイド穴部５１，５１が、一体的に取り付けた上部ユニット２０と下部ユニット３０に貫通して形成されている。つまり、二つのガイド穴部５１，５１は、上部ユニット２０と下部ユニット３０を二本のガイド部材５２，５２に沿って上下方向へ移動自在とするガイド部となる。
なお、本実施形態では、前述の第一実施形態の浴槽水浄化装置１０における推進装置４５が不要であるので、図２における二つの推進用羽根車４６，４６は設けていない。他は同様である。
【００４３】
次に、上記の第二実施形態の浴槽水浄化装置５０における作用について説明する。
浴槽水浄化装置５０は、水面の位置が変化しても、上部ユニット２０と下部ユニット３０が一体的な状態で二本のガイド部材５２，５２に沿って上下方向へ移動し、浴槽７０の水面に浮かぶ。すなわち、浴槽水浄化装置５０の流入口１１，１１が常に水面に位置する状態となる。
【００４４】
上部ユニット２０におけるモータ２２を回転駆動すると、水面近くに浮かぶ浮遊物が、回転する浮遊物回収ローラ３６ａ，３６ｂの外周面に付着し、浮遊物回収ローラ３６ａ，３６ｂの回転に伴って浮遊物捕集容器３３の開口３５へ移動する。次いで、浮遊物回収ローラ３６ａ，３６ｂの外周面に付着した浮遊物は、浮遊物捕集容器３３の開口３５で再び水没すると、前記外周面から簡単に離れ、浮遊物捕集容器３３へ沈んで捕集される。この点は前述の第一実施形態の浴槽水浄化装置１０における作用と同様である。
【００４５】
なお、第二実施形態の浴槽水浄化装置５０は、浴槽７０の水面上を移動しないので、積極的に浮遊物を捕集するという点では第一実施形態の浴槽水浄化装置１０ほどではないが、入浴している時に水の流れが起こるので浮遊物の捕集効果がある。特に風呂を沸かす時や追いだきの時は水が循環する流れが生じるので、浮遊物の捕集効果が向上する。
【００４６】
上記の第一実施形態の浴槽水浄化装置１０と第二実施形態の浴槽水浄化装置５０は、図５に示すように、充電装置ユニット６０を備えている。すなわち、上部ユニット２０と下部ユニット３０が一体的な状態で充電器６１に載置すると、下部ユニット３０の底部に設けた電極部が充電器６１の接点６２に接触して通電される。下部ユニット３０の電極部から内部の配線を経て上部ユニット２０の駆動装置収納容器２の中のバッテリを充電することになる。
【産業上の利用可能性】
【００４７】
本発明は、浴槽の水を浄化することに関わる全般に利用可能性を有する。例えば、家庭用風呂、業務用風呂、宿泊施設、温泉地、リゾート全般、その他のレジャー施設における浴槽の水の浄化全般において、利用可能性を有する。
【符号の説明】
【００４８】
１０  浴槽水浄化装置
１１  流入口
２０  上部ユニット
２１  上部ユニット本体
２２  回転駆動装置（モータなど）
２３  駆動装置収納容器
２４  駆動歯車
３０  下部ユニット
３１  下部ユニット本体
３２  浮遊物回収装置
３３  浮遊物捕集容器
３４  網目
３５  開口
３６（３６ａ，３６ｂ）  浮遊物回収ローラ
３８  回転軸
３９  浮力体
４０  回転駆動伝達装置
４１  第一従動歯車
４２  第二従動歯車
４３，４４  補助従動歯車
４５  推進装置
４６  推進用羽根車
５０  浴槽水浄化装置
５１  ガイド穴部（ガイド部）
５２  ガイド部材
６０  充電装置ユニット
６１  充電器
７０  浴槽
【図１】
2016067797.tif 000003
【図２】
2016067797.tif 000004
【図３】
2016067797.tif 000005
【図４】
2016067797.tif 000006
【図５】
2016067797.tif 000007